(57)【特許請求の範囲】
【請求項１】
指爪のイエローラインの形状に形成されたフレンチネイルステッカーであって、
凸状に形成された自由端部と、前記自由端部の反対側に位置し、凹状に形成された下爪皮端部とを含むステッカー本体と、
前記ステッカー本体の下面に位置し、前記ステッカー本体が着脱自在に結合される離型紙と、
前記ステッカー本体の上面に着脱自在に結合され、前記ステッカー本体の自由端部側に突設された取っ手を含むガイド部と、を含み、
前記ガイド部は、ガイドフィルム及び第２粘着層を含み、
前記ガイドフィルムは、前記ステッカー本体の上部に位置する粘着具と、前記粘着具から延びて、前記ステッカー本体の自由端部側から突設される取っ手とを含み、
前記第２粘着層は、一面が前記ステッカー本体の上部に着脱自在に粘着され、前記第２粘着層の他面が前記粘着具の下部に固定粘着されることを特徴とするフレンチネイルステッカー。
【請求項２】
前記ステッカー本体は、
前記離型紙と着脱可能な第１粘着層と、
前記第１粘着層の上部に位置し、前記第１粘着層と堅固に結合されたベース層と、
を含むことを特徴とする請求項１に記載のフレンチネイルステッカー。
【請求項３】
前記ステッカー本体は、
前記ベース層の上部に文様を塗布して形成されたデザイン層と、前記ガイド部と接触するように、前記ステッカー本体の最上部に設けられたトップコーティング層とをさらに含むことを特徴とする請求項２に記載のフレンチネイルステッカー。
【請求項４】
前記ベース層は、ＰＰ、ＰＥ、ＰＶＣ、ＰＶＤＣ、ＥＶＡ、ＰＥＴＧ、及びＰＵのうち何れか一つ以上で製造されたことを特徴とする請求項３に記載のフレンチネイルステッカー。
【請求項５】
前記ガイドフィルムは、
前記第２粘着層と結合され、前記離型紙から剥離されるプライマー層と、
前記プライマー層の上部に印刷され、前記ステッカー本体のセンターを表示するセンターラインを含む標識層と、
前記標識層の上部に積層される保護層と、
を含むことを特徴とする請求項４に記載のフレンチネイルステッカー。
【請求項６】
前記第２粘着層と前記ステッカー本体との間の粘着力は、前記第１粘着層と前記離型紙との間の粘着力より大きいことを特徴とする請求項５に記載のフレンチネイルステッカー。
【請求項７】
ＡＳＴＭ  Ｄ４５４１によるプルオフテストの結果、前記第２粘着層と前記ステッカー本体との間の粘着力は、前記第１粘着層と前記離型紙との間の粘着力より１．５倍ないし４倍大きいことを特徴とする請求項６に記載のフレンチネイルステッカー。
【請求項８】
前記ステッカー本体の前記トップコーティング層の材質はＵＶ塗料であり、前記プライマー層の材質はアクリレート系樹脂であることを特徴とする請求項７に記載のフレンチネイルステッカー。
【請求項９】
前記標識層には、前記ステッカー本体の大きさを表わすサイズマークをさらに含むことを特徴とする請求項５に記載のフレンチネイルステッカー。
【請求項１０】
前記粘着具は、前記ステッカー本体と同じ形状に形成されたことを特徴とする請求項１に記載のフレンチネイルステッカー。
【請求項１１】
請求項１ないし請求項１０のうち何れか一項に記載のフレンチネイルステッカーを製造する方法であって、
（Ａ）前記離型紙の上部に粘着剤及び前記粘着剤と結合されるベースフィルムが積層される準備段階と、
（Ｂ）前記ベースフィルムの上部に前記ステッカー本体の形状を印刷するステッカー本体印刷段階と、
（Ｃ）前記ベースフィルムの上部に印刷された前記ステッカー本体の形状に沿って、前記ベースフィルム及び前記粘着剤を裁断するハーフカッティング段階と、
（Ｄ）前記ハーフカッティング段階を経た前記ベースフィルムを前記離型紙から除去して、前記離型紙の上部に前記ステッカー本体を形成するステッカー本体形成段階と、
（Ｅ）前記離型紙の上部に形成された前記ステッカー本体の上面に前記ガイド部を形成するガイド部形成段階と、
を含むことを特徴とするフレンチネイルステッカーの製造方法。
【請求項１２】
前記ガイド部形成段階は、
（Ｅ１）前記ステッカー本体の上部にガイド粘着剤を塗布する粘着剤塗布段階と、
（Ｅ２）前記ガイド粘着剤の上面にプライマー層を積層するプライマー形成段階と、
（Ｅ３）前記プライマー層の上面に前記ステッカー本体のセンターを表示するセンターラインを含む標識層を形成する標識層形成段階と、
（Ｅ４）前記標識層の上部に積層され、外力が加えられても、前記標識層に記載の内容を保持させる保護層を形成する保護層形成段階と、を含み、
前記プライマー層は、前記ステッカー本体の自由端部より突設されることを特徴とする請求項１１に記載のフレンチネイルステッカーの製造方法。
【請求項１３】
前記ベースフィルムは、ＰＰ、ＰＥ、ＰＶＣ、ＰＶＤＣ、ＥＶＡ、ＰＥＴＧ、及びＰＵのうち何れか一つ以上で製造されたことを特徴とする請求項１１に記載のフレンチネイルステッカーの製造方法。
【発明の詳細な説明】
【技術分野】
【０００１】
本発明は、フレンチネイルステッカーに関し、より詳細には、ステッカー本体の損傷なしに離型紙から着脱可能であり、指爪に容易に適用することができるフレンチネイルステッカーに関する。
【背景技術】
【０００２】
一般的に、ユーザが指爪の形状を改善しようとする場合、マニキュアを塗布して所望の文様でネイルアートを行っている。しかし、指爪にマニキュアなどを塗るネイルアートの場合、その作業が煩わしく難しいだけではなく、塗布された溶液の乾燥に時間がかかるという不便さがあった。特に、フレンチネイルアートのように指爪の端部に色を塗るネイルアートの場合、指爪ごとにマニキュアが塗布される領域が均一にされなければならず、かつネイルベッド側に位置したフレンチネイルアートの末端線であるスマイル線が一定で均一に塗布されなければならないが、非熟練者の場合には、このような作業を単独で行うことが難かった。そして、ユーザが熟練者であっても、直接自身の指爪にフレンチネイルアートを行う場合、ユーザが左利きであるか、右利きであるかによって、それぞれの手に塗布されるフレンチネイルアートの形状が均一にならないという問題点がある。
【０００３】
従来、このような問題点を解決するために、ネイルシャブのような専門的にネイルアートを行う所に依頼して指爪の形状を改善していた。しかし、専門家によってフレンチネイルアートを行う場合、毎度料金を支払わなければならないという点でコスト的な負担が増加した。
【０００４】
したがって、最近、非熟練者であっても、フレンチネイルのスマイル線を均一に形成し、直接行っても均一な形状にフレンチネイルアートを行うことができるフレンチネイルステッカーの必要性が台頭しつつある。
【発明の概要】
【発明が解決しようとする課題】
【０００５】
本発明が解決しようとする第１の課題は、ステッカー本体の損傷なしに離型紙から着脱可能であり、指爪に容易に適用することができるフレンチネイルステッカーを提供することにある。
【０００６】
本発明が解決しようとする第２の課題は、非熟練者も容易に指爪に適用することができるフレンチネイルステッカーの製造方法を提供することにある。
【課題を解決するための手段】
【０００７】
本発明は、前記第１の課題を解決するために、指爪のイエローラインの形状に形成されたフレンチネイルステッカーであって、凸状に形成された自由端部と、前記自由端部の反対側に位置し、凹状に形成された下爪皮端部とを含むステッカー本体と、前記ステッカー本体の下面に位置し、前記ステッカー本体が着脱自在に結合される離型紙と、前記ステッカー本体の上面に着脱自在に結合され、前記ステッカー本体の自由端部側に突設された取っ手を含むガイド部と、を含むフレンチネイルステッカーを提供する。
【０００８】
本発明の一実施形態によれば、前記ステッカー本体は、前記離型紙と着脱可能な第１粘着層と、前記第１粘着層の上部に位置し、前記第１粘着層と堅固に結合されたベース層と、を含むことが望ましい。
【０００９】
ここで、前記ステッカー本体は、前記ベース層の上部に文様を塗布して形成されたデザイン層と、前記ガイド部と接触するように、前記ステッカー本体の最上部に設けられたトップコーティング層とをさらに含むことが望ましい。
【００１０】
また、前記ベース層は、ＰＰ、ＰＥ、ＰＶＣ、ＰＶＤＣ、ＥＶＡ、ＰＥＴＧ、及びＰＵのうち何れか一つ以上で製造されたことが望ましい。
【００１１】
また、前記ガイド部は、ガイドフィルム及び第２粘着層を含み、前記ガイドフィルムは、前記ステッカー本体の上部に位置する粘着具と、前記粘着具から延びて、前記ステッカー本体の自由端部側から突設される取っ手とを含み、前記第２粘着層は、一面が前記ステッカー本体の上部に着脱自在に粘着され、前記第２粘着層の他面が前記粘着具の下部に固定粘着されることが望ましい。
【００１２】
ここで、前記ガイドフィルムは、前記第２粘着層と結合され、前記離型紙から剥離されるプライマー層と、前記プライマー層の上部に印刷され、前記ステッカー本体のセンターを表示するセンターラインを含む標識層と、前記標識層の上部に積層される保護層と、を含むことが望ましい。
【００１３】
また、前記第２粘着層と前記ステッカー本体との間の粘着力は、前記第１粘着層と前記離型紙との間の粘着力より大きいことが望ましい。
【００１４】
また、ＡＳＴＭ  Ｄ４５４１によるプルオフテストの結果、前記第２粘着層と前記ステッカー本体との間の粘着力は、前記第１粘着層と前記離型紙との間の粘着力より１．５倍ないし４倍大きいことが望ましい。
【００１５】
また、前記ステッカー本体の前記トップコーティング層の材質は、ＵＶ塗料であり、前記プライマー層の材質は、アクリレート系樹脂であることが望ましい。
【００１６】
また、前記標識層には、前記ステッカー本体の大きさを表わすサイズマークをさらに含むことが望ましい。
【００１７】
また、前記粘着具は、前記ステッカー本体と同じ形状に形成されることが望ましい。
【００１８】
また、本発明は、前記第２の課題を解決するために、前記フレンチネイルステッカーを製造するものであって、（Ａ）前記離型紙の上部に粘着剤及び前記粘着剤と結合されるベースフィルムが積層される準備段階と、（Ｂ）前記ベースフィルムの上部に前記ステッカー本体の形状を印刷するステッカー本体印刷段階と、（Ｃ）前記ベースフィルムの上部に印刷された前記ステッカー本体の形状に沿って、前記ベースフィルム及び前記粘着剤を裁断するハーフカッティング段階と、（Ｄ）前記ハーフカッティング段階を経た前記ベースフィルムを前記離型紙から除去して、前記離型紙の上部に前記ステッカー本体を形成するステッカー本体形成段階と、（Ｅ）前記離型紙の上部に形成された前記ステッカー本体の上面に前記ガイド部を形成するガイド部形成段階と、を含むフレンチネイルステッカーの製造方法を提供する。
【００１９】
本発明の一実施形態によれば、前記ガイド部形成段階は、（Ｅ１）前記ステッカー本体の上部にガイド粘着剤を塗布する粘着剤塗布段階と、（Ｅ２）前記ガイド粘着剤の上面にプライマー層を積層するプライマー形成段階と、（Ｅ３）前記プライマー層の上面に前記ステッカー本体のセンターを表示するセンターラインを含む標識層を形成する標識層形成段階と、（Ｅ４）前記標識層の上部に積層されて、外力が加えられても前記標識層に記載の内容を保持させる保護層を形成する保護層形成段階と、を含み、前記プライマー層は、前記ステッカー本体の自由端部より突設されることが望ましい。
【００２０】
また、前記ベースフィルムは、ＰＰ、ＰＥ、ＰＶＣ、ＰＶＤＣ、ＥＶＡ、ＰＥＴＧ、及びＰＵのうち何れか一つ以上で製造されたことが望ましい。
【発明の効果】
【００２１】
本発明によれば、ステッカー本体にガイド部が形成されていて、ステッカー本体を離型紙から脱着する時、手でステッカー本体をこそげる必要がない。したがって、ステッカー本体を離型紙から脱着する過程でステッカー本体に損傷が加えられることを防止することができる。そして、ステッカー本体を指爪に適用するとき、手でステッカー本体を取る必要がないために、ステッカー本体の粘着力を均一に保持し、かつ指爪に接着する過程でステッカー本体の損傷を防止することができる。また、ガイド部にステッカー本体のセンター及び大きさと関連した標識が示されているために、指爪の大きさに適切なステッカー本体を容易に選択でき、ステッカー本体を指爪に付着させるときにセンターに合わせてステッカー本体を指爪に一回で付着できるために、ステッカー本体の形状が付着を修正する過程で形状の変形を防止することができる。
【図面の簡単な説明】
【００２２】
【図１】本発明の一実施形態のフレンチネイルステッカーの平面図である。
【図２】本発明の一実施形態のフレンチネイルステッカーの断面図である。
【図３】本発明の一実施形態のフレンチネイルステッカーの製造方法のフローチャートである。
【発明を実施するための形態】
【００２３】
以下、望ましい実施形態を挙げて本発明をさらに詳細に説明する。しかし、これら実施形態は、本発明をより具体的に説明するためのものであって、本発明の範囲が、これによって制限されないということは当業者に自明である。
【００２４】
一般的に、フレンチネイルアートは、指爪のフリーエッジ位置に行うものであって、その形状が、指爪のイエローライン（ｙｅｌｌｏｗ  ｌｉｎｅ）と同様に形成される。イエローラインは、指爪のフリーエッジと下爪皮との間の指爪を指称するものであって、皮膚と接触しない指爪を言う。このように、指爪のネイルプレート全体にネイルアートを行わず、フレンチネイルアートのように指爪の一部にのみネイルアートを行う場合、その文様の境界を明確にしにくい。
【００２５】
本発明は、このような問題点を解決するためのものであって、指爪の一部にのみ文様を入れようとするとき、文様の非熟練者でも自身の指爪に精巧な文様を入れるようにしたものであり、特に、フレンチネイルアートを容易に行うようにしたフレンチネイルステッカーである。
【００２６】
図１には、本発明の一実施形態のフレンチネイルステッカーの平面図が示されており、図２には、本発明の一実施形態のフレンチネイルステッカーの断面図が示されている。
【００２７】
本発明によるフレンチネイルステッカーは、大きく指爪に適用されるステッカー本体１２０と、ステッカー本体１２０の形状を保護する離型紙１１０、及びガイド部１３０とに分けることができる。すなわち、本発明によるフレンチネイルステッカーは、図１（ａ）に示されたように、指爪のイエローライン状に形成されたものであって、凸状に形成された自由端部１２０ｘと、前記フリーエッジの反対側に位置し、凹状に形成された下爪皮端部１２０ｙとを含むステッカー本体１２０と、前記ステッカー本体１２０の下面に位置し、前記ステッカー本体１２０が着脱自在に結合される離型紙１１０と、前記ステッカー本体１２０の上面に着脱自在に結合され、前記ステッカー本体１２０の自由端部１２０ｘ側に突設された取っ手１３４ｙを含むガイド部１３０と、を含む。
【００２８】
ステッカー本体１２０の自由端部１２０ｘは、凸状に形成されたものであって、指爪に適用されるとき、指爪の末端であるフリーエッジ側に位置する。また、下爪皮端部１２０ｙは、一般的なフレンチネイルアートを行うとき、形成されるスマイルラインに該当するものであって、自由端部１２０ｘと同一方向に曲率が形成される。
【００２９】
ステッカー本体１２０は、実質的に指爪に付着されるものであって、その下面に粘着成分が塗布されている。したがって、ステッカー本体１２０の下面に離型紙１１０を備えることによって、ステッカー本体１２０を指爪に適用する前に、ステッカー本体１２０に形成された粘着成分にホコリのような汚染物質の付着を防止する。離型紙１１０は、異形性質があるために、ステッカー本体１２０の粘着成分が離型紙１１０に残らずに容易に脱着される。
【００３０】
ステッカー本体１２０の上部には、ガイド部１３０が付着される。ステッカー本体１２０が離型紙１１０と脱装着可能であると同様に、ガイド部１３０もステッカー本体１２０と脱装着可能に備えられる。前記ガイド部１３０は、ステッカー本体１２０を離型紙１１０から脱着する作業とステッカー本体１２０を指爪に付着する作業とを容易に進行させる。
【００３１】
ここで、ガイド部１３０は、ガイドフィルム１３４及び第２粘着層１３２を含み、前記ガイドフィルム１３４は、前記ステッカー本体１２０の上部に位置する粘着具１３４ｘ、前記粘着具１３４ｘから延びて、前記ステッカー本体１２０の自由端部側１２０ｘから突設される取っ手１３４ｙを含み、前記第２粘着層１３２は、一面が前記ステッカー本体１２０の上部に着脱自在に粘着され、前記第２粘着層１３２の他面は、前記粘着具１３４ｘの下部に固定粘着されることを特徴とする。
【００３２】
ガイド部１３０は、ガイドフィルム１３４と、第２粘着層１３２とに区分されるが、ここで、第２粘着層１３２は、前記ガイドフィルム１３４の下面の全体に形成されず、前記ステッカー本体１２０と結合される位置のガイドフィルム１３４にのみ塗布される。すなわち、ガイドフィルム１３４は、下面に第２粘着層１３２が塗布される粘着具１３４ｘと、第２粘着層１３２が塗布されない取っ手１３４ｙとに区分することができる。取っ手１３４ｙは、実質的にステッカー本体１２０を離型紙１１０から脱着させようとするとき、手で把持する部分である。すなわち、ステッカー本体１２０を離型紙１１０から脱着させようとするとき、ステッカー本体１２０を手でこそげるか、離型紙１１０を曲げなくても、ステッカー本体１２０を離型紙１１０から容易に脱着することができる。したがって、ステッカー本体１２０を離型紙１１０から脱着する過程でステッカー本体１２０に損傷が付くことを防止する。そのために、第２粘着層１３２の一面は、ステッカー本体１２０の上部に着脱自在に粘着され、第２粘着層１３２の一面の反対側に位置した他面は、粘着具１３４ｘの下部に固定粘着してステッカー本体１２０からガイド部１３０を分離させるとき、第２粘着層１３２がガイドフィルム１３４に付着された状態を保持させうる。
【００３３】
ここで、ステッカー本体１２０の上面に位置した粘着具１３４ｘ’は、ステッカー本体１２０の一部位置にのみ形成されうるが、図１（ｂ）に示されたように、ステッカー本体１２０と同じ形状に形成することによって、ステッカー本体１２０に印刷された文様が剥がされるか、ステッカー本体１２０の表面に傷が生じることを防止することができる。
【００３４】
前記ステッカー本体１２０は、図２に示されたように、前記離型紙１１０と着脱可能な第１粘着層１２２と、前記第１粘着層１２２の上部に位置し、前記第１粘着層１２２と堅固に結合されたベース層１２４と、を含む。
【００３５】
前記ステッカー本体１２０は、ベース層１２４に備えられた色相のみでも指爪を構えるデザインとして使われるようにできるが、ベース層１２４の上部に別途の文様を塗布するか、別途の色相を塗布することによって、ステッカー本体１２０の美観を向上させることができる。すなわち、ベース層１２４の上部に別途のデザイン層１２６及びトップコーティング層１２８をさらに備えることによって、ガイド部１３０が、ステッカー本体１２０のトップコーティング層１２８に付着された状態で供給させうる。ここで、ステッカー本体１２０にデザイン層１２６が備えられない場合には、トップコーティング層１２８をベース層１２４の上部に位置させて、常にステッカー本体１２０の最上部に位置させることが望ましい。すなわち、トップコーティング層１２８をステッカー本体１２０の最上部に備えることによって、トップコーティング層１２８の底面に位置したベース層１２４またはデザイン層１２６の表面を保護することができる。
【００３６】
また、ステッカー本体１２０の上面にトップコーティング層１２８が備えられる場合、デザイン層１２６の表面に光沢を与えてステッカー本体１２０の美観を向上させることができる。それだけではなく、トップコーティング層１２８の材質特性によってガイド部１３０との一定以上の粘着力を保持しながらも、ステッカー本体１２０が指爪に付着された後には、ステッカー本体１２０とガイド部１３０とが容易に脱着されるようにする。
【００３７】
この際、ステッカー本体１２０の前記ベース層１２４は、ＰＰ、ＰＥ、ＰＶＣ、ＰＶＤＣ、ＥＶＡ、ＰＥＴＧ、及びＰＵのうち何れか一つ以上で製造可能である。すなわち、ＰＰ、ＰＥ、ＰＶＣ、ＰＶＤＣ、ＥＶＡ、ＰＥＴＧ、及びＰＵ単一物質でベース層１２４を形成することもでき、ＰＰ、ＰＥ、ＰＶＣ、ＰＶＤＣ、ＥＶＡ、ＰＥＴＧ、及びＰＵのうち何個かを選択した後、これを適正比率で混合してベース層１２４を製造することもできる。また、第１粘着層１２２と第２粘着層１３２としては、無溶剤タイプのアクリル系、ウレタンアクリル系、シリコン系、エポキシ系、ロジン系、及び溶剤タイプのアクリル系、ウレタンアクリル系、シリコン系、エポキシ系のうち何れか一つ以上のものを選択して使用できる。
【００３８】
ここで、ガイド部１３０は、図２に示されたように、ガイドフィルム１３４及び第２粘着層１３２を含み、前記ガイドフィルム１３４は、前記ステッカー本体１２０の上部に位置する粘着具１３４ｘ、前記粘着具１３４ｘから延びて、前記ステッカー本体１２０の自由端部１２０ｘ側から突設される取っ手１３４ｙを含み、前記第２粘着層１３２は、一面が前記ステッカー本体１２０の上部に着脱自在に粘着され、前記第２粘着層１３２の他面は、前記粘着具１３４ｘの下部に固定粘着される。すなわち、ガイドフィルム１３４は、第２粘着層１３２が下部に備えられた粘着具１３４ｘと、第２粘着層１３２が備えられていない取っ手１３４ｙとに区分することができる。したがって、ステッカー本体１２０を指爪に付着させようとする場合には、第２粘着層１３２が形成されない取っ手１３４ｙを把持することによって、ステッカー本体１２０と離型紙１１０とを分離させる。
【００３９】
ここで、第２粘着層１３２と前記ステッカー本体１２０との間の粘着力を、前記第１粘着層１２２と前記離型紙１１０との間の粘着力より大きく形成することによって、ステッカー本体１２０を直接触らず、取っ手１３４ｙを引っ張ることだけでも、ステッカー本体１２０が容易に離型紙１１０から脱着させうる。したがって、ステッカー本体１２０を離型紙１１０から脱着する過程でステッカー本体１２０の形状に変形の発生を防止することができる。
【００４０】
そのために、第２粘着層１３２と前記ステッカー本体１２０との間の粘着力を、前記第１粘着層１２２と前記離型紙１１０との間の粘着力より１．５倍ないし４倍大きく製造することが望ましい。ここで、粘着力をテストする方法としては、ＡＳＴＭ  Ｄ４５４１によるプルオフテストが使われる。第２粘着層１３２と前記ステッカー本体１２０との間の粘着力が、前記第１粘着層１２２と前記離型紙１１０との間の粘着力の１．５倍未満である場合、取っ手１３４ｙを如何なる方向から引っ張るのかによって、ステッカー本体１２０が離型紙１１０から脱着されず、ガイド部１３０のみステッカー本体１２０と分離される。この過程でステッカー本体１２０を離型紙１１０から脱着させるためには、ステッカー本体１２０を直接手で把持しなければならない。したがって、ステッカー本体１２０の下部に備えられた第１粘着層１２２が手に接するようになりながら、接着力が低下するか、ステッカー本体１２０の外形が変形される。また、第２粘着層１３２と前記ステッカー本体１２０との間の粘着力が、前記第１粘着層１２２と前記離型紙１１０との間の粘着力の４倍を超過する場合、ステッカー本体１２０が離型紙１１０からは容易に脱着されるが、ステッカー本体１２０を指爪に適用した後に、ガイド部１３０とステッカー本体１２０とが容易に分離されない。すなわち、ガイド部１３０とステッカー本体１２０とを分離する過程で粘着具１３４ｘの下部に位置した第２粘着層１３２の一部がステッカー本体１２０に残留物として残るために、ステッカー本体１２０の美観が低下する。したがって、第２粘着層１３２と前記ステッカー本体１２０との間の粘着力を、前記第１粘着層１２２と前記離型紙１１０との間の粘着力より１．５倍ないし４倍大きく製造することが望ましい。
【００４１】
このように、第２粘着層１３２と前記ステッカー本体１２０とが一定の粘着力を保持しながらも、容易に分離されるようにトップコーティング層１２８を備えるが、そのために、トップコーティング層１２８は、ＵＶ塗料で製造され、第２粘着層１３２が固定粘着されるプライマー層１３４ａは、アクリレート系樹脂であることが望ましい。すなわち、第２粘着層１３２とトップコーティング層１２８との間の粘着力に比べて、第２粘着層１３２とプライマー層１３４ａとの間の粘着力を高めるように、トップコーティング層１２８とプライマー層１３４ａの材質を構成する。したがって、ステッカー本体１２０を指爪に適用した後に、ガイド部１３０を脱着するとき、第２粘着層１３２の残留物がトップコーティング層１２８の上部に残らないようにする。ここで、アクリレート系樹脂の種類としては、メチルメタクリレート、メチルアクリレート、エチルメタクリルレート、エチルアクリレートなどが含まれるが、これに限定されるものではない。
【００４２】
また、前記ガイド部１３０の前記ガイドフィルム１３４は、前記第２粘着層１３２と結合され、前記離型紙１１０とは剥離されるプライマー層１３４ａと、前記プライマー層１３４ａの上部に印刷されるものであって、前記ステッカー本体１２０のセンターを表示するセンターライン（Ｃ．Ｌ）を含む標識層１３４ｂと、前記標識層１３４ｂの上部に積層される保護層１３４ｃと、を含む。
【００４３】
すなわち、ステッカー本体に塗布された第２粘着剤の上部にプライマー層１３４ａを形成した後、必要に応じてプライマー層の上部にステッカー本体１２０のセンターを表示するセンターラインを印刷して標識層１３４ｂを形成しうる。標識層１３４ｂは、外力によって剥がされないように上部に保護層１３４ｃが積層されうるが、このような保護層１３４ｃとしては、エポキシ樹脂などが使われる。また、ガイド部１３０には、センターラインとサイズマーク（Ｓ．Ｍ）とが形成されうるが、センターラインは、ステッカー本体１２０のセンターを、サイズマークは、ステッカー本体１２０の大きさを表わす。したがって、薄膜のステッカー本体１２０を離型紙１１０から分離する以前に、指爪に適当な大きさであるかを確認することができる。それだけではなく、ステッカー本体１２０を指爪に貼り付ける前に、指爪の中心位置とステッカー本体１２０のセンターラインとを合わせることができるために、ステッカー本体１２０を数回貼り付けて取り外さずとも、即座に指爪の適切な位置に付着することができる。すなわち、ガイド部１３０をステッカー本体１２０の上部に備えることによって、ステッカー本体１２０を離型紙１１０から脱着する過程だけではなく、ステッカー本体１２０を指爪に付着する過程でも、ステッカー本体１２０に損傷が付くことを防止することができる。
【００４４】
図３には、本発明の一実施形態のフレンチネイルステッカーの製造方法のフローチャートが示されている。
【００４５】
本発明によるフレンチネイルステッカーは、下記のような製造方法で製造可能である。すなわち、本発明によるフレンチネイルステッカーは、図３に示されたように、前記フレンチネイルステッカーを製造するものであって、（Ａ）前記離型紙１１０の上部に粘着剤及び前記粘着剤と結合されるベースフィルムが積層される準備段階（Ｓ１）と、（Ｂ）前記ベースフィルムの上部に前記ステッカー本体１２０の形状を印刷するステッカー本体１２０印刷段階（Ｓ２）と、（Ｃ）前記ベースフィルムの上部に印刷された前記ステッカー本体１２０の形状に沿って、前記ベースフィルム及び前記粘着剤を裁断するハーフカッティング段階（Ｓ３）と、（Ｄ）前記ハーフカッティング段階を経た前記ベースフィルムを前記離型紙１１０から除去して、前記離型紙１１０の上部に前記ステッカー本体１２０を形成するステッカー本体形成段階（Ｓ４）と、（Ｅ）前記離型紙１１０の上部に形成された前記ステッカー本体１２０の上面に前記ガイド部１３０を形成するガイド部１３０形成段階（Ｓ５）と、を含む。
【００４６】
すなわち、準備段階では、下面に粘着剤の処理をしたベースフィルムを離型紙１１０の上面に備え、ステッカー本体１２０印刷段階では、ステッカー本体１２０のデザイン層１２６になる形状にベースフィルムの上部にステッカー本体１２０の形状が印刷される。次いで、ハーフカッティング段階によって印刷されていない残りの部分のベースフィルムと印刷された領域のベースフィルムとが裁断される。ここで、裁断作業は、離型紙１１０を裁断せず、ベースフィルムとベースフィルムとの下面に位置した粘着剤のみ裁断される。すなわち、ハーフが離型紙１１０の一部の厚さまでは通過することができるが、離型紙１１０を貫通しないために、ハーフカッティング段階後にベースフィルムを除去する過程で印刷が進行した部分は残り、印刷が進行していない部分のベースフィルムは除去される。このような過程でステッカー本体１２０が形成される。
【００４７】
そして、離型紙１１０の上面にステッカー本体１２０のみ残っている形態でステッカー本体１２０の上面にガイド部１３０を付着させれば、本発明によるフレンチネイルステッカーが完成される。ここで、ステッカー本体１２０の上部にガイド部１３０を形成するガイド部１３０形成段階は、細分化されうる。すなわち、本発明の一実施形態の前記ガイド部１３０形成段階は、（Ｅ１）前記ステッカー本体１２０の上部にガイド粘着剤を塗布する粘着剤塗布段階と、（Ｅ２）前記ガイド粘着剤の上面にプライマー層１３４ａを積層するプライマー形成段階と、（Ｅ３）前記プライマー層の上面に前記ステッカー本体１２０のセンターを表示するセンターラインを含む標識層１３４ｂを形成する標識層１３４ｂ形成段階と、（Ｅ４）前記標識層１３４ｂの上部に積層されて外力が加えられても、前記標識層１３４ｂに記載の内容を保持させる保護層１３４ｃを形成する保護層１３４ｃ形成段階と、を含む。
【００４８】
すなわち、離型紙１１０の上面にステッカー本体１２０のみ残っている状態で前記ステッカー本体１２０の上部にガイド粘着剤を塗布する粘着剤塗布段階を行うことによって、第２粘着剤を形成する。このように形成されたガイド粘着剤は、その上面にプライマー層１３４ａを印刷するが、ここで、前記プライマー層は、前記ステッカー本体１２０の自由端部１２０ｘより突出されるように印刷される。プライマー層１３４ａは、ペイントの下塗りのような作業と見られる。すなわち、シルクスクリーン技法などを用いてガイドフィルム１３４が形成される位置にプライマー層１３４ａを形成した後、標識層１３４ｂ及び保護層１３４ｃを順に積層形成することによって、ガイドフィルム１３４を形成する。ここで、プライマー層１３４ａは、第２粘着層１３２になるガイド粘着剤とは結合されるが、離型紙１１０とは分離された状態を保持するために、ガイドフィルム１３４の製造が完了した後にも、離型紙１１０と分離された状態を保持することができる。
【００４９】
プライマー層１３４ａが形成された以後には、標識層１３４ｂ形成段階を通じて、前記プライマー層１３４ａの上部にセンターラインやサイズマークなどを印刷して標識層１３４ｂをプライマー層１３４ａの上部に形成しうる。また最終的に、保護層１３４ｃ形成段階で標識層１３４ｂ及びプライマー層１３４ａを覆う保護層１３４ｃを積層することによって、ガイド部１３０が形成される。
【００５０】
本発明の単純な変形または変更は、いずれも当業者によって容易に実施し、このような変形や変更は、いずれも本発明の領域に含まれる。
【産業上の利用可能性】
【００５１】
本発明は、フレンチネイルステッカー及びその製造方法関連の技術分野に適用可能である。
【符号の説明】
【００５２】
１１０：離型紙
１２０：ステッカー本体
１２０ｘ：自由端部
１２０ｙ：下爪皮端部
１２２：第１粘着層
１２４：ベース層
１２６：デザイン層
１２８：トップコーティング層
１３０：ガイド部
１３２：第２粘着層
１３４：ガイドフィルム
１３４ａ：プライマー層
１３４ｂ：標識層
１３４ｃ：保護層
１３４ｘ：粘着具
１３４ｙ：取っ手
【図１】
0005419954.tif 000002
【図２】
0005419954.tif 000003
【図３】
0005419954.tif 000004